(57)【要約】  【課題】  初期の操作を極力軽減させて、迅速に所望のメニュー操作等を行うことが可能な画像形成装置の操作装置を提供する。  【解決手段】  少なくとも画像送信機能及び画像複写機能を備え、それらの機能に対応する操作画面を表示する表示部２０と、前記表示部２０に表示される操作画面を選択された機能に基づいて切り替える表示制御部を備えた画像形成装置の操作装置であって、前記画像形成装置の起動時に前記表示部２０に表示される操作画面を予め選択設定する初期画面設定手段を備え、前記表示制御部は前記画像形成装置の起動時に前記初期画面設定手段により選択設定された操作画面を前記表示部２０に表示する。  【選択図】  図１
2007124068.tif 000002
【特許請求の範囲】
【請求項１】
少なくとも画像送信機能及び画像複写機能を備え、それらの機能に対応する操作画面を表示する表示部と、前記表示部に表示される操作画面を選択された機能に基づいて切り替える表示制御部を備えた画像形成装置の操作装置であって、
前記画像形成装置の起動時に前記表示部に表示される操作画面を予め選択設定する初期画面設定部を備え、前記表示制御部は前記画像形成装置の起動時に前記初期画面設定部により選択設定された操作画面を前記表示部に表示するように構成されている画像形成装置の操作装置。
【請求項２】
画像形成装置の異常を検出する異常検出手段を備え、前記画像形成装置の起動時に前記異常検出手段により異常が検出されているときに、前記表示制御部は、前記初期画面設定部により選択設定された操作画面に優先して異常モニタ画面を表示するように構成されている請求項１記載の画像形成装置の操作装置。
【請求項３】
前記画像送信機能及び前記画像複写機能夫々の設定画面の使用頻度をカウントする頻度検出手段を備え、前記表示制御部は、前記初期画面設定部により選択設定された操作画面に優先して前記頻度検出手段により検出された所定期間内の使用頻度に基づいて何れかの操作画面を前記表示部に表示するように構成されている請求項１記載の画像形成装置の操作装置。
【発明の詳細な説明】
【技術分野】
【０００１】
本発明は、少なくとも画像送信機能及び画像複写機能を備え、それらの機能に対応する操作画面を表示する表示部と、前記表示部に表示される操作画面を選択された機能に基づいて切り替える表示制御部を備えた画像形成装置の操作装置に関する。
【背景技術】
【０００２】
近年、画像送信機能や画像複写機能等の複数の機能を備えた画像形成装置が開発されている。このような複合機では、画像送信機能や画像複写機能の夫々において様々な機能を選択操作する必要があり、タッチパネル式の液晶装置を用いた表示部に複数のメニューキーを表示し、オペレータの操作によって設定されたメニューに従って作動するように構成されている。
【０００３】
例えば、画像送信機能に関連するメニューとして送信原稿が写真原稿であるのか文字原稿であるのかといった原稿種類の設定、送信原稿がカラー原稿なのかモノトーンの原稿なのかといった原稿画質の設定、送信先の設定等の複数の設定メニューが表示部に表示され、画像複写機能に関連するメニューとして両面か片面かといった原稿種類の設定、両面か片面かといった複写種類の設定、原稿や複写紙のサイズや倍率等の設定等の複数の設定メニューが表示部に表示される。
【０００４】
このような画像送信機能に関連するメニューと画像複写機能に関連するメニューは、操作の容易性等の観点から表示部に混在して表示されるのではなく、別途操作部に設けられた機能設定キーにより選択的に切替表示される。例えば、「ファクシミリ」キーが押圧操作されると、画像送信機能に関連するメニューに切替表示され、「コピー」キーが押圧操作されると画像複写機能に関連するメニューが表示制御部によって切替表示されるのである。
【０００５】
また、画像複写機能では、複数のメニューの組合せを一つのプログラムキーに対応させて記憶し、当該プログラムキーが押圧操作されると直ちにオペレータの要求する組合せメニューが設定されるプログラム機能を備えた操作部も提案されている。
【０００６】
このような画像形成装置の操作装置に対して、さらに操作性を向上させるために、特許文献１には、操作部の表示部に、初期画面として、コピー機能及び又はファクシミリ機能に関する所望のプログラムキーを予め定められた所定個数の範囲内で同時に表示する手段を備え、前記初期画面のキーの選択により、前記初期画面から、直接、該キーに対応する動作状態に移行可能とした複合機が提案されている。
【０００７】
同様に、特許文献２には、通信回線を介して画像を送受する画像通信機能と、複写機能とを有する画像形成装置において、複写を行う場合の初期画面である複写初期画面と、画像通信を行う場合の初期画面である画像通信初期画面とを表示する表示手段と、数値入力手段を介して入力された数値を検出する入力数値検出手段と、上記入力数値検出手段が検出した数値に応じて上記表示手段における表示を上記複写初期画面または上記画像通信初期画面に切り替える画面切り替え制御手段とを有する画像形成装置が提案されている。
【０００８】
【特許文献１】特開２０００−１５１８７０号公報
【特許文献２】特開２００２−５７８２８号公報
【発明の開示】
【発明が解決しようとする課題】
【０００９】
しかし、上述した特許文献１に記載された操作装置では、初期画面に表示された複数のプログラムキーの何れにも該当しないメニュー操作を行なう必要がある場合には、画像送信機能または画像複写機能の何れかの初期画面を表示させるように操作する必要があり、そのための操作が余分に必要とされるという問題があった。
【００１０】
さらに上述した特許文献２に記載された操作装置でも、同様に複写機能を使用する際には何らかの数値入力が必要となり、操作に熟練しないオペレータにとって操作し辛いものとなるという不都合があった。
【００１１】
本発明の目的は、上述の問題に鑑み、初期の操作を極力軽減させて、迅速に所望のメニュー操作等を行うことが可能な画像形成装置の操作装置を提供する点にある。
【課題を解決するための手段】
【００１２】
上述の目的を達成するため、本発明による画像形成装置の操作装置の第一の特徴構成は、特許請求の範囲の書類の請求項１に記載した通り、少なくとも画像送信機能及び画像複写機能を備え、それらの機能に対応する操作画面を表示する表示部と、前記表示部に表示される操作画面を選択された機能に基づいて切り替える表示制御部を備えた画像形成装置の操作装置であって、前記画像形成装置の起動時に前記表示部に表示される操作画面を予め選択設定する初期画面設定部を備え、前記表示制御部は前記画像形成装置の起動時に前記初期画面設定部により選択設定された操作画面を前記表示部に表示するように構成されている点にある。
【００１３】
通常、画像送信機能や画像複写機能を備えた複合機は、何れの機能も均等に選択される確率が低く、何れかの機能が主体的に選択される傾向がある。そこで、上述の構成によれば、初期画面設定部により選択頻度の高い機能の操作画面が装置の起動時に表示されるように選択しておくことにより、操作画面を切り替える選択操作という余分な操作が不要となり、より使い勝手の高い操作装置となるのである。
【００１４】
同第二の特徴構成は、同請求項２に記載した通り、上述の第一の特徴構成に加えて、画像形成装置の異常を検出する異常検出手段を備え、前記画像形成装置の起動時に前記異常検出手段により異常が検出されているときに、前記表示制御部は、前記初期画面設定部により選択設定された操作画面に優先して異常モニタ画面を表示するように構成されている点にある。
【００１５】
上述の構成によれば、画像形成装置に何らかの異常が発生して直ちに作動できないようなときに、初期画面設定部により選択設定された操作画面に優先して異常モニタ画面が表示されるので、オペレータは迅速に適切な対応をとることができるようになるのである。
【００１６】
同第三の特徴構成は、同請求項３に記載した通り、上述の第一及び第二の特徴構成に加えて、前記画像送信機能及び前記画像複写機能夫々の設定画面の使用頻度をカウントする頻度検出手段を備え、前記表示制御部は、前記初期画面設定部により選択設定された操作画面に優先して前記頻度検出手段により検出された所定期間内の使用頻度に基づいて何れかの操作画面を前記表示部に表示するように構成されている点にある。
【００１７】
上述の構成によれば、初期画面として初期画面設定部により選択設定された操作画面に優先して頻度検出手段によって検出された使用頻度の高い機能の操作画面が表示されるので、操作画面を切り替える選択操作という余分な操作頻度が大きく低減されるようになるのである。
【発明の効果】
【００１８】
以上説明した通り、本発明によれば、初期の操作を極力軽減させて、迅速に所望のメニュー操作等を行うことが可能な画像形成装置の操作装置を提供することができるようになった。
【発明を実施するための最良の形態】
【００１９】
以下に本発明による画像形成装置の操作装置を、ファクシミリ装置として動作する画像送信機能と原稿画像複写装置として動作する画像複写機能を備えたデジタル方式のカラー複合機に適用した場合について説明する。
【００２０】
本発明によるカラー複合機１は、図２に示すように、本発明による操作装置として位置付けられる操作部２と、原稿載置部３にセットされた一連の原稿を順次読込んで電子データに変換する画像読取部（「スキャナ」とも記す。）４と、前記画像読取部４の下部に設けられ、それぞれ異なるサイズまたは種類の用紙が収容された上下四段の給紙カセット６（６ａ〜６ｄ）から給紙された用紙上に、前記画像読取部４によって読取られた画像データに基づくトナー像を形成して出力する電子写真方式の画像形成部５と、前記画像読取部４によって読取られた画像データを圧縮して公衆回線を介して外部に送信するとともに、外部から受信した画像データを伸張処理する画像伝送処理部７等からなる機構ブロックを備えて構成されている。
【００２１】
各機構ブロックは、夫々マイクロコンピュータを備えた複数の制御部により予め設定された所期の動作が実行されるように構成されている。即ち、図３に示すように、前記操作部２を制御する操作制御部２００と、前記画像読取部４を制御するスキャナ制御部４００と、前記画像読取部４で読取られた入力画像データを出力画像データに変換する画像処理部８００と、前記画像形成部５を制御する画像形成制御部５００と、前記画像伝送処理部７を制御する画像伝送制御部７００と、上述した各制御部を統括制御するシステム制御部９００を備え、各制御部はコマンドバス及び必要な場合には画像バスを介して相互に通信可能に接続されている。
【００２２】
例えば、前記操作部２で複写メニューが設定されて起動がかけられると、前記操作制御部２から前記システム制御部９００に前記コマンドバスを介してそのレポート情報が送られる。それに応答して前記システム制御部９００から出力される原稿読取コマンドに基づいて前記スキャナ制御部４００が起動されて原稿画像が読取られ、読取られた入力画像データが前記画像バスを介して前記画像処理部８００に送られて出力画像データに変換処理される。一方、前記システム制御部９００から出力されるコピーコマンドに基づいて前記画像形成制御部５００が起動され、所定タイミングで入力される前記出力画像データに基づいてトナー画像が生成され、用紙に転写され定着された後に出力されるのである。
【００２３】
各制御部には、自身の制御対象機構が正常に動作しているか否かを検出する自己診断部が設けられ、異常が検出されると前記コマンドバスを介して前記システム制御部９００に異常レポートが送信されるように構成されている。異常レポートを受信した前記システム制御部９００は、必要な場合には実行中の複写動作を停止させて、前記操作制御部２００に異常情報を送信するように構成され、前記操作制御部２００は受信した異常情報を内部ＲＡＭ２５０に記憶するとともに前記表示部２０に異常状態を表示制御するように構成されている。例えば、前記スキャナ制御部４００では読取用ランプ切れ、前記画像形成制御部５００ではトナー切れ、紙詰まり、ヒータ切れ等の異常が検出される。
【００２４】
即ち、各制御部に設けられた自己診断部と、各自己診断部で診断された異常情報が格納されている前記操作制御部２００の内部ＲＡＭ２５０によりカラー複合機１の異常を検出する異常検出手段が構成されている。自己診断部により検出された異常状態は、その状態が続く間は保持され、その状態が解消され且つ所定の条件を満たしたときにリセットされる。例えば、複写操作中に紙詰まりが発生したときには、操作者が機械のドアを開放して、機内の用紙を取り除き、再度ドアを閉塞したときに、通紙経路上に設けた用紙センサにより用紙の残存が確認されないときにリセットされる。また、ランプ切れ等の部品交換を要する故障発生時には、サービスマンが部品交換した後に操作されるリセットスイッチ（図示しないが、制御部の基板や前記操作部２０の何れかに設けられる）のオンタイミングでリセットされる。
【００２５】
前記操作部２は、前記画像読取部４の手前に取り付けられ、図１に示すように、タッチパネル式の液晶の表示部２０と、前記表示部２０を挟んで左側に配置された機能選択キー２６と、右側に配置された複写枚数等を設定する数値入力キー２１、複写動作や画像伝送動作等を起動させるスタートキー２２、起動した動作を停止させ、または直前に設定された入力処理をキャンセルするストップ／クリアキー２３、表示状態を初期値に戻すリセットキー２４、当該カラー複合機に関する管理情報や初期画面設定情報等各種の初期値の設定を行なうための初期設定キー２５等を備えて構成されている。
【００２６】
上述の操作部２を制御する操作制御部２００は、図３に示すように、前記操作部２に配置されたタッチパネルを含む各種のキー入力操作を検出する入力処理部２２０と、前記入力処理部２２０により検出されたキー入力に基づいて、前記操作部２に設けられる各種のＬＥＤを点灯または消灯制御するとともに前記表示部２０に表示される操作画面を切替表示する表示制御部２１０と、前記カラー複合機１の起動時に前記表示部２０に表示される操作画面を予め選択設定する初期画面設定部２３０と、前記画像送信機能及び前記画像複写機能夫々の設定画面の使用頻度をカウントする頻度検出手段２４０と、前記異常検出手段の一部を構成する内部ＲＡＭ２５０等を備えて構成されている。
【００２７】
前記表示制御部２１０は、前記表示部２０に表示される操作画面を、画像複写機能と画像送信機能のうち前記機能選択キー２６により選択された機能に基づいて切り替えるように構成されている。以下に前記表示制御部２１０による両機能の切替表示制御について詳述する。
【００２８】
図１に示すように、前記機能選択キー２６は、当該カラー複合機１を原稿画像複写装置として動作させるのかファクシミリ装置として動作させるのかを選択するための画像複写機能選択キー２７と画像送信機能選択キー２８の二つの機能選択キーで構成され、夫々のキーの左側にモニタＬＥＤ２７ａ，２８ａが配置されている。
【００２９】
前記モニタＬＥＤ２７ａが点灯しているときに前記画像複写機能が選択されていることが示され、前記モニタＬＥＤ２８ａが点灯しているときに前記画像送信機能が選択されていることが示される。前記表示制御部２１０は、前記画像複写機能が選択されているときに前記画像送信機能選択キー２８が押圧操作されると前記画像送信機能に切り替えるべく、前記モニタＬＥＤ２７ａに代えて前記モニタＬＥＤ２８ａを点灯させ、前記画像送信機能が選択されているときに前記画像複写機能選択キー２７が押圧操作されると前記画像複写機能に切り替えるべく、前記モニタＬＥＤ２８ａに代えて前記モニタＬＥＤ２７ａを点灯させる。
【００３０】
前記画像複写機能が選択されると、前記表示制御部２１０は、前記表示部２０を対応する操作画面に切り替える。具体的には、図１（ａ）及び図４（ａ）に示すように、複写メニューを設定するための複数のタブと、操作者により選択されたタブに複数のメニューキーを表示する。タブのデフォルト値は「簡単設定」タブとされており、例えば、「簡単設定」タブに表示される用紙設定キーやコピー濃度キー等を設定操作することにより用紙サイズを選択したりコピー濃度を設定することが可能となる。操作者により所望の複写メニューが選択操作され、前記スタートキーが押圧操作されると、その旨の情報が前記システム制御部９００に送信される。
【００３１】
前記画像送信機能が選択されると、前記表示制御部２１０は、前記表示部２０を対応する操作画面に切り替える。具体的には、図１（ｂ）及び図４（ｂ）に示すように、送信メニューを設定するための複数のタブが表示され、選択されたタブに表示されるメニューキーを表示する。例えば、「宛先」タブを選択すると表示されるアップ／ダウンキーを操作することにより宛先リストがスクロール表示され、表示された目的の送信先をタッチすることにより送信先を設定することが可能になる。
【００３２】
さらに、前記表示制御部２１０は、前記カラー複合機１の起動時に前記初期画面設定部２３０により選択設定された操作画面を前記表示部２０に表示するように構成されている。ここで、「起動時」とは、前記カラー複合機１の電源スイッチの投入時、前記リセットキー２４の操作時、リクエストされたジョブが終了してから所定時間経過時の所謂オートリセット時をいう。
【００３３】
前記初期画面設定部２３０は、上述の「起動時」に前記表示部２０に表示される操作画面を、画像複写機能に対応する操作画面と画像送信機能に対応する操作画面の何れの操作画面にするのかを設定するもので、前記初期設定キー２５を操作することにより起動される。
【００３４】
前記初期設定キー２５が操作されると前記表示部２０に各種の初期設定メニューキーが表示され、その中から初期画面設定キーが操作されると、図５（ａ）に示す初期画面設定画面が表示される。前記初期画面設定画面に表示される画像複写機能選択キーと画像送信機能選択キーの何れかを選択操作することにより選択された機能がネガポジ反転表示される。図では画像複写機能選択キーが選択された状態を示す。
【００３５】
前記表示制御部２１０は、図４（ｃ）に示すように、内部ＲＡＭ２５０に何らかの異常情報が記憶されているときには、前記表示部２０に異常状態を報知する異常モニタ画面を表示する。前記異常モニタ画面は操作者が適切に対応できるように、異常発生箇所（スキャナ、プリンタ等）、対処方メッセージを表示する解除方法キーを表示するように構成されている。例えば、紙詰まり発生時にはプリンタ表示欄に紙詰まりを示すメッセージを表示するとともに、中央部分に表示される機械の構成図に紙詰まり箇所を表示し、解除方法キーが操作されると「扉を開いて紙を取り除いてください」とのメッセージを表示する。
【００３６】
ここで、前記表示制御部２１０は、前記画像複写機能または画像送信機能の何れかが、発生している異常に関わらず動作可能な場合であれば、前記機能選択キー２６の操作により動作可能な機能に対応する操作画面を表示するように構成されている。例えば、前記画像伝送制御部７００により画像伝送のための通信インターフェース部に異常が発生していると検出されているような場合には、画像複写機能選択キー２７により画像複写機能に関する操作画面が表示され、前記画像形成制御部５００によりトナー切れが検出されているような場合には、画像送信機能選択キー２８により画像送信機能に関する操作画面が表示される。
【００３７】
従って、前記カラー複合機１の起動時であっても、前記異常検出手段により異常が検出されているときには、前記表示制御部２０は、前記初期画面設定部２３０により選択設定された操作画面に優先して異常モニタ画面を表示するように構成されている。
【００３８】
尚、前記表示制御部２１０は、前記初期画面設定部２３０により設定された初期の操作画面に対応する機能が、発生している異常に関わらず動作可能であれば、当該初期画面を表示することも可能である。また、前記初期画面設定部２３０により設定された初期の操作画面とは異なる操作画面に対応する機能が、発生している異常に関わらず動作可能であれば、当該異なる操作画面を初期画面として表示することも可能である。何れの場合であっても、その状態で前記機能選択キー２６の操作により他方の操作画面を表示するように選択操作されると前記異常モニタ画面が表示されるように制御される。
【００３９】
前記頻度検出手段２４０は、所定期間内になされたリクエストに対応するジョブ、ここでは画像複写ジョブと画像送信ジョブの夫々の実行回数をカウントするカウンタを備えて構成されている。前記初期設定キー２５が操作されて前記表示部２０に表示される各種の初期設定メニューキーから頻度設定キーが操作されると、図５（ｂ）に示す頻度設定画面が表示され、頻度をカウントするための検出期間と、画像複写機能と画像送信機能のジョブ比率が、夫々前記数値入力キー２１により入力設定可能に表示される。図では、検出期間を「１０」日、ジョブ比率を「６０」％と入力した状態を示す。
【００４０】
検出期間の入力値に基づく現在から過去の所定期間内の各ジョブの実行回数がカウントされ、前記所定期間経過時点で夫々のカウント値に基づいて画像複写機能と画像送信機能のジョブ比率が使用頻度として算出されて記憶手段（図示せず）に記憶される。前記所定期間が経過するまでは使用頻度としてデフォルト値５０％が記憶され、前記所定期間が経過した後には算出された使用頻度が記憶される。
【００４１】
前記表示制御部２１０は、前記カラー複合機１の起動時に、前記初期画面設定部２３０により選択設定された操作画面に優先して前記頻度検出手段２４０により検出された所定期間内の使用頻度に基づいて何れかの操作画面を前記表示部２０に表示するように構成されている。詳述すると、前記所定期間の経過後に前記画像複写機能と画像送信機能のうち、画像送信機能の使用頻度が前記頻度設定画面で設定されたジョブ比率を上回っていると判断されるときに、前記初期画面設定部２３０により画像複写機能が選択設定されている場合であっても、画像送信機能に対応する設定画面を初期画面として前記表示部２０に表示するように制御するのである。
【００４２】
これにより、初期表示される画像複写機能に対応する操作画面から、頻繁に使用される画像送信機能に対応する操作画面に切り替える手間を省き操作性を向上されることができるようになる。このような機能は、定常的には何れか一方の機能が重点的に選択されるものの、ある所定期間内に他方の機能の使用頻度が高くなる逆転現象が生じるような場合に、前記初期画面設定部２３０により再度初期画面を設定するという手間をも省くことができるようになるのである。尚、検出期間とジョブ比率の値は、当該カラー複合機が設置されるオフィスの状況に応じて適宜設定される値である。
【００４３】
以下、前記表示制御部２００による前記表示部２０に対する表示制御手順を、図６に示すフローチャートに基づいて説明する。
【００４４】
前記カラー複合機１の上述した起動時（電源スイッチ投入時、前記リセットキー２４の操作時、オートリセット時）には（Ｓａ１）、前記表示制御部２１０はまず、前記初期画面設定部２３０により選択された操作画面を初期画面として選択する（Ｓａ２）。
【００４５】
前記表示制御部２１０は、内部ＲＡＭ２５０に何らかの異常が記憶されている場合には（Ｓａ３）、前記初期画面設定部２３０により選択された操作画面に優先して、異常モニタ画面を初期画面として選択し（Ｓａ６）、前記表示部２０に表示する（Ｓａ７）。
【００４６】
内部ＲＡＭ２５０に異常が記憶されていない場合には（Ｓａ３）、前記表示制御部２１０は、前記頻度検出手段２４０で設定された使用頻度と、前記頻度検出手段２４０により検出された所定期間内の画像複写機能と画像送信機能の使用頻度を比較し、前記頻度検出手段２４０で設定された使用頻度を上回っていると判断するときには（Ｓａ４）、前記初期画面設定部２３０により選択された操作画面に優先して、上回っていると判断する何れかの操作画面を選択し（Ｓａ５）、前記表示部２０に表示する（Ｓａ７）。
【００４７】
以下、前記頻度検出手段２４０による頻度検出についての手順を、図７に示すフローチャートに基づいて説明する。
【００４８】
オペレータによりリクエストされたジョブが実行されると、当該ジョブ終了後（Ｓｂ１）、前記頻度検出手段２４０は実行された当該ジョブが画像複写ジョブであったのか、画像送信ジョブであったのかを判断し（Ｓｂ２）、前記画像複写ジョブが実行されていた場合は画像複写ジョブのカウントをインクリメントし（Ｓｂ３）、前記画像送信ジョブが実行されていた場合は画像送信ジョブのカウントをインクリメントし（Ｓｂ４）、夫々のカウントを前記頻度検出手段２４０の記憶手段に記憶する。
【００４９】
以下に別実施形態を説明する。上述した実施形態では、画像複写機能と画像送信機能を備えたカラー複合機について表示制御部により起動時に何れかの機能に対応する操作画面を優先表示するものを説明したが、カラー複合機に備える機能としては、これらに制限されるものではなく、他の機能を備える場合であっても対応可能である。例えば、原稿画像を電子データとして読取り、所定の記憶部に格納するスキャナ機能等が独立した機能として設定されるような場合には、起動時に複数の機能の中でどの機能に対応する表示画面を優先的に表示させるのかを設定できるようになる。
【００５０】
上述した実施形態では、予め設定された画像複写機能と画像送信機能のジョブ比率により使用頻度を判断するものを説明したが、使用頻度を判断するためには、ジョブ比率に代えて両ジョブのカウント値の差分に対する閾値を設定するものであってもよい。また、ジョブ比率を設定する場合には、機能が三つ以上となると全ジョブに対する個別ジョブのジョブ比率を設定すればよい。
【００５１】
上述した実施形態では、初期画面設定部と異常検出手段と頻度検出手段を備えたカラー複合機について説明したが、これらは個々に独立した機能であり、カラー複合機にこれら全ての機能を備えなければ使用できないものではない。例えば、これらの機能の内、初期画面設定部のみをカラー複合機に備えることも可能であり、初期画面設定部と頻度検出手段の２つをカラー複合機に備えることも可能である。つまりは、これらの機能を必要に応じて選択し、カラー複合機に備えればよい。
【００５２】
上述した実施形態は何れも本発明の一実施例に過ぎず、当該記載により本発明の範囲が限定されるものではなく、各部の具体的構成は本発明による作用効果を奏する範囲において適宜変更することができることはいうまでもない。
【図面の簡単な説明】
【００５３】
【図１】（ａ）は画像複写機能に関する操作画面が表示されたカラー複合機の操作部の説明図、（ｂ）は画像送受信機能に関する操作画面が表示されたカラー複合機の操作部の説明図
【図２】画像形成装置としてのカラー複合機の全体構成図
【図３】カラー複合機のブロック構成図
【図４】（ａ）は画像複写機能に関する操作画面の説明図、（ｂ）は画像送信機能に関する操作画面の説明図、（ｃ）は異常モニタ画面の説明図
【図５】（ａ）は初期画面を設定するための設定画面の説明図、（ｂ）は検出期間と、画像複写機能と画像送信機能のジョブ比率を設定するための設定画面の説明図
【図６】表示制御部による表示部に対する表示制御手順について説明するためのフローチャート
【図７】頻度検出手段による頻度検出の手順について説明するためのフローチャート
【符号の説明】
【００５４】
１：カラー複合機
２：操作部
４：画像読取部（スキャナ）
５：画像形成部
６：給紙カセット
２０：液晶表示部（表示部）
２６：機能選択キー
２７：画像複写機能選択キー
２８：画像送信機能選択キー
２００：操作制御部
２１０：表示制御部
２３０：初期画面設定部
２４０：頻度検出手段
２２０：入力処理部
４００：スキャナ制御部
５００：画像形成制御部
７００：画像伝送制御部
８００：画像処理部
９００：システム制御部
【図２】
2007124068.tif 000003
【図３】
2007124068.tif 000004
【図５】
2007124068.tif 000005
【図６】
2007124068.tif 000006
【図７】
2007124068.tif 000007
【図１】
2007124068.tif 000008
【図４】
2007124068.tif 000009